(57)【要約】      （修正有）【課題】電力計測と通信機能を備えるコレクティブLEDインテリジェント照明コントロールデバイスを提供する。【解決手段】多数のLEDランプが共用する１組のパワーサプライと各自独立したコントロール調光回路を備え、また電力計測モジュール1.5を備え、各ランプの電力消費状況を計測・記録でき、さらにシーン設定コントロールインターフェースを備え、既存の壁面スイッチを結び付け、しかも元の配線を変更不要とする状況において、グループ照明切り換えとマルチステップ調光の機能を備え、同時にネットワークと無線Zigbee（登録商標）の通信インターフェースを内蔵し、リモートサーバから、各LEDの電源と調光をコントロールでき、電力情報を収集でき、Zigbee（登録商標）インターフェースを通して、本考案のデバイスの下方に設置されるZigbee（登録商標）インターフェースを備える設備と無線方式により自動的に接続し、情報収集とコントロールの目的を達成する。【選択図】図２
0003175862.tif 000002
【実用新案登録請求の範囲】
【請求項１】
多数のLEDランプが共用する１組のパワーサプライと各自独立調光コントロールの多機能コントローラーとにより構成される、電力計測と通信機能を備えるコレクティブLEDインテリジェント照明コントロールデバイスであって、
前記多機能コントローラーは、各LEDランプ及び全部の電力消費状況を計測及び記録できる電力計測モジュールを備え、さらにシーン設定コントロールインターフェースを備え、既存の壁面スイッチを結び付け、同時にネットワークと無線Zigbee（登録商標）の通信インターフェースを内蔵し、リモートサーバから、前記各LEDランプの電源と調光を制御し、電力データを収集する一方、
Zigbee（登録商標）インターフェースを通して、前記コレクティブLEDインテリジェント照明コントロールデバイス付近に設置するZigbee（登録商標）インターフェースを備えるセンサー又は設備と、無線方式により自動的に接続し、情報収集とコントロールの目的を達成することを特徴とする電力計測と通信機能を備えるコレクティブLEDインテリジェント照明コントロールデバイス。
【請求項２】
前記パワーサプライと各自独立調光コントロールの多機能コントローラーは、別々の２個の単体で、１個の底板上に同時に固定され、両者の間は、ソケットを使用して連結され、
前記パワーサプライのAC端電源は、多機能コントローラー電力による計測後に供給され、
前記パワーサプライの直流出力は、多機能コントローラーの使用に供されることを特徴とする請求項１に記載の電力計測と通信機能を備えるコレクティブLEDインテリジェント照明コントロールデバイス。
【請求項３】
前記各自独立調光コントロールの多機能コントローラーは、調光コントロール及び状態読み取りインターフェースとマイクロプロセッサープログラムの対応を通して、自動計算し、異なる規格と性能の各LEDランプであっても、各段階の調光が対応するコントロールの電流値にそれぞれ対応し、これにより数個のデジタルロジック出力方式を設定し、比率に応じて分圧し、リニア電圧に転換し、さらに、定電流方式により、高効率のスイッチ式パワーサプライをコントロールし、安定した直流電圧と直流電流を出力し、各自別々に各LEDランプに供給し、これによりLEDランプの輝度は均一で、点滅せず、干渉ノイズを発生せず、瞬間的オーバーロードもないため、LEDランプの寿命を延長することができることを特徴とする請求項２に記載の電力計測と通信機能を備えるコレクティブLEDインテリジェント照明コントロールデバイス。
【請求項４】
前記電力計測モジュールは、全体の消費電力、電圧、電流、力率、累積消費電力量(度)、及び各ランプの現在の消費電力、使用電圧(DC)、累積消費電力量(度)、累積使用時間等の管理情報を計測でき、現在の各ランプの電力計測により、現在のランプが正常に作動しているか、或いは損壊していないかを直ちに判断することを特徴とする請求項１に記載の電力計測と通信機能を備えるコレクティブLEDインテリジェント照明コントロールデバイス。
【請求項５】
前記電力計測モジュールは、調光コントロール及び状態読み取りインターフェースとマイクロプロセッサープログラムの対応を通して、自動的に、設定と計測により、各ランプ、各段階の調光が対応するドライブ電圧を知り、その数値データを保存でき、比較対照の基準とすることを特徴とする請求項４に記載の電力計測と通信機能を備えるコレクティブLEDインテリジェント照明コントロールデバイス。
【請求項６】
前記シーン設定コントロールインターフェースは、既存の壁面スイッチの配線をそのまま使用でき、もともとのランプ電源線は、直接調光コントロール及び状態読み取りインターフェースパネルの端子上に接続され、さらに、シーンモードインプットインターフェースパネル上のDIPスイッチを設定することを特徴とする請求項１に記載の電力計測と通信機能を備えるコレクティブLEDインテリジェント照明コントロールデバイス。
【請求項７】
前記既存の壁面の１個のスイッチは、２個の内部にダイオードを含む機械式スイッチに転換され、正、負の半サイクルの電源をそれぞれコントロールし、こうしてそれぞれグループコントロールと調光を達成することを特徴とする請求項６に記載の電力計測と通信機能を備えるコレクティブLEDインテリジェント照明コントロールデバイス。
【請求項８】
前記シーン設定コントロールインターフェースは、電子式タッチスイッチを使用してコントロールし、２個のタッチボタンにより、正の半サイクルのON/OFF(グループ)及び負の半サイクルのON/OFF(調光)をそれぞれコントロールすることを特徴とする請求項１に記載の電力計測と通信機能を備えるコレクティブLEDインテリジェント照明コントロールデバイス。
【請求項９】
前記内蔵ネットワークと無線Zigbee（登録商標）の通信インターフェースは、大容量のメモリカードを備え、これにより各ランプの電力データと現在状態をコントロールし、ネットワークTCP/IPインターフェースにより、サーバに通信し、サーバプログラムの作動と通信インターフェース使用を通して、各ランプのON/OFF及び調光をコントロールし、しかも前記メモリカードは、現在或いは履歴データを保存して記録し、検索に提供され、全部或いは各ランプの電力情報と使用時間等管理情報を含むことを特徴とする請求項１に記載の電力計測と通信機能を備えるコレクティブLEDインテリジェント照明コントロールデバイス。
【請求項１０】
前記多機能コントローラーは、過渡状態に切り換え、電源の応急スイッチをコントロールすることを特徴とする請求項２に記載の電力計測と通信機能を備えるコレクティブLEDインテリジェント照明コントロールデバイス。
【請求項１１】
前記コントロールランプは、２組の調光出力により、１個のデュアル色温度LEDランプをコントロールし、その内の１組の出力は、暖色LEDの輝度をコントロールし、もう１組の出力は、冷色LEDの輝度をコントロールすることを特徴とする請求項１に記載の電力計測と通信機能を備えるコレクティブLEDインテリジェント照明コントロールデバイス。
【考案の詳細な説明】
【技術分野】
【０００１】
本考案は電力計測と通信機能を備えるコレクティブLEDインテリジェント照明コントロールデバイスに関し、特に多数のLEDランプを統合するインテリジェント照明コントロールシステムを提供し、これに電力計測と通信技術を結びつけ、インテリジェントグリーン建築に求められるデータコレクションプラットフォームを備えた照明を主体とし、Zigbee（登録商標）等通信インターフェースを備える他のセンサー或いは設備をモニタでき、照明と生活の質を改善し、省エネ/二酸化炭素削減を達成することができる電力計測と通信機能を備えるコレクティブLEDインテリジェント照明コントロールデバイスに関する。
【背景技術】
【０００２】
従来のランプコントロールデバイスは、１個のランプに１個のコントローラーを対応させる。壁面スイッチは、電源オン/オフ、或いは既定ステップの調光をコントロールできるだけで、大面積のエリア照明をオン/オフすることができず、また調光ステップを提供することもできない。さらには、消費電力関連数値データを計測することもできず、リモートサーバにより、定時或いはプログラム化したコントロールを行うこともできず、或いはネットワークを通した灯源コントロールを行うことができない。加えて、個人的に、任意のランプのON或いはOFF、任意のランプの調光をコントロールすることはもちろんできず、LEDランプ内の各列、各チップの故障等の情報を含む任意のランプの電力消費データを知ることもできない。
【０００３】
言い換えれば、従来のランプコントロールデバイスは、電力計測、通信、リモートコントロールの機能を、同時に備えてはいない。さらには、もともとのスイッチの配線を改変することなく、既存の壁面スイッチの設定を変え、グループコントロール照明、調光ステップ、及び多数のLEDランプが１個のパワーサプライを共用するように切り換えることはできない。当然、従来のランプコントロールデバイスは、各LEDランプ内の任意の列の回路或いは任意の１個のLEDチップが、正常作動状態にあるかどうかを探知することはできない。本考案は、LED照明コントロールデバイスの上記した欠点に鑑みてなされたものである。
【先行技術文献】
【特許文献】
【０００４】
【特許文献１】なし
【考案の概要】
【考案が解決しようとする課題】
【０００５】
本考案が解決しようとする第一の課題は、１組のパワーサプライと多数組の調光コントローラーを備え、単独或いは同時に、多数のLEDに給電でき、それぞれ調光でき、さらに電力計測モジュールを備え、各ランプ或いはすべての、電力消費状況を計測及び記録でき、さらにシーン設定コントロールインターフェースを備え、既存の壁面スイッチを結び付け、しかももともとのスイッチの配線を変更不要な状況において、グループ照明切り換えとマルチステップ調光の機能を備え、同時にネットワークと無線Zigbee（登録商標）の通信インターフェースを内蔵し、リモートサーバから、定時或いはプログラム化したコントロールが可能で、リモートネットワークは、各ランプのON/OFF及び調光をコントロールでき、及びその電力消費データを調べることができ、さらに各LEDランプ内任意の列回路の各チップが正常に作動しているか否かの情報を知ることができ、同時に、Zigbee（登録商標）インターフェースを通して、本デバイス下方に設置するZigbee（登録商標）インターフェースを備えるセンサー或いは設備と接続し、無線方式で、自動的にネットワークを形成し、こうして全面的な情報収集とコントロールの目的を達成する電力計測と通信機能を備えるコレクティブLEDインテリジェント照明コントロールデバイスを提供することである。
【０００６】
本考案が解決しようとする第二の課題は、多数のLEDランプを集め、１組のパワーサプライを共用し、パワーサプライは、プログラム化コントロールを備える多数組の定電流源を動かすことができ、各LEDの供給電流をそれぞれ調整し、電源の共用を達成し、それぞれ調光可能な低コストかつ効率の高い作動モードを実現する電力計測と通信機能を備えるコレクティブLEDインテリジェント照明コントロールデバイスを提供することである。
【０００７】
本考案が解決しようとする第三の課題は、現場のニーズに容易に応えることができるシーン設定コントロールインターフェースを提供し、現場の既存の壁面スイッチに対応させ、本デバイス特有のグループコントロールと調光DIP設定を通して、しかももともとのスイッチの配線を変更不要な状況において、壁面の１個のスイッチを２個のスイッチに換え、それぞれグループ照明切り換えとマルチステップ調光の機能を備え、現場の実際のニーズに応えることができる電力計測と通信機能を備えるコレクティブLEDインテリジェント照明コントロールデバイスを提供することである。
【０００８】
本考案が解決しようとする第四の課題は、１組の電力計測モジュールを提供し、全体の消費電力を計測できる他、プログラムを対応させることで、各ランプの消費電力情報を計算でき、接続するサーバを通して、収集と統計を行い、各ランプの電力消費データを効果的に知り、分析でき、さらに各LEDランプ内の任意の列回路の各チップが正常に作動しているか否かの情報を知ることができ、故障を主動的に探知でき、省エネ/二酸化炭素削減の機能も持ち、LEDインテリジェント照明ランプの全面的な導入を促進することができる電力計測と通信機能を備えるコレクティブLEDインテリジェント照明コントロールデバイスを提供することである。
【０００９】
本考案が解決しようとする第五の課題は、簡便なデータコレクションとプラットフォームを提供し、ネットワークインターフェースを内蔵し、コレクティブLEDランプを、リモートプログラム化或いは定時コントロールでき、調光でき、現場でネットワークに接続でき、各ランプのON或いはOFFを制御でき、及び個別にきめ細かく調光でき、各ランプの電力消費データを調べることができ、同時に、内蔵するZigbee（登録商標）インターフェースを通して、本デバイス下方に設置する、同様にZigbee（登録商標）インターフェースを備えるセンサー或いは設備と、無線方式で、自動的にネットワークを形成し、インテリジェントグリーン建築に求められる全面的な情報収集とコントロールの目的を達成することができる電力計測と通信機能を備えるコレクティブLEDインテリジェント照明コントロールデバイスを提供することである。
【００１０】
本考案が解決しようとする第六の課題は、全く新しいタッチインターフェーススイッチを提供し、既存のスイッチのON/OFF切換モードに置換し、従来の二線式スイッチであろうと、三線式スイッチであろうと、その配線を改変せずとも、電源とコントロールの問題を解決でき、新しい電子式タッチスイッチを提供することで、従来の１個のスイッチ式のスイッチに完全に置換でき、２個のタッチ制御のグループシーン及び調光コントロール方式に格上げでき、人に優しく、安全で高級な操作環境を達成することができる電力計測と通信機能を備えるコレクティブLEDインテリジェント照明コントロールデバイスを提供することである。
【課題を解決するための手段】
【００１１】
上記課題を解決するため、本考案は電力計測と通信機能を備えるコレクティブLEDインテリジェント照明コントロールデバイスを提供する。すなわち、電力計測と通信機能を備えるコレクティブLEDインテリジェント照明コントロールデバイスは、多数のLEDランプが共用する１組のパワーサプライと各自独立したコントロール調光回路を備え、さらに、電力計測モジュールを備え、各ランプ或いはすべての、電力消費状況を計測及び記録でき、さらに、シーン設定コントロールインターフェースを備え、既存の壁面スイッチを結び付け、しかももともとの配線を変更不要である状況において、グループ照明切り換えとマルチステップ調光の機能を備え、同時にネットワークと無線Zigbee（登録商標）の通信インターフェースを内蔵し、リモートサーバから、本考案デバイス各LEDの電源と調光をコントロールでき、電力情報を収集でき、Zigbee（登録商標）インターフェースを通して、本考案デバイス下方に設置するZigbee（登録商標）インターフェースを備える設備と無線方式により自動的に接続し、情報収集とコントロールの目的を達成する。
【考案の効果】
【００１２】
本考案の電力計測と通信機能を備えるコレクティブLEDインテリジェント照明コントロールデバイスは、多数のLEDランプを、インテリジェント照明コントロールとデータコレクションの１個のプラットフォームに結びつけ、多数のLEDランプは１個のパワーサプライの照明コントロールシステムを共用し、１個の電力計測デバイスを共用し、１個の通信インターフェースを共用することでコストを分担し、１組のシーンコントロールインターフェースを共用し、それが二線式であろうと、或いは三線式スイッチであろうと、すべて配線を変える必要はなく、既存の壁面スイッチ機能をグループで向上させ、現場の実際のニーズに合わせて、多数のLEDランプのグループコントロールと調光機能をシーンコントロールでき、これによりLED照明は、省エネ化、インテリジェント化され、人に優しくと便利になる。
【００１３】
また、本考案デバイスは、１個の空間の上方に設置されるため、Zigbee（登録商標）モジュールを組み合わせることで、同時に、インテリジェントグリーン建築に求められる情報計測収集プラットフォームを確立できる。
【００１４】
よって、本デバイスにより、インテリジェント照明を同時に達成できる他、省エネ/二酸化炭素削減とインテリジェントグリーン建築に求められるデータコレクションとコントロールのインフラを完成できるため、作動全体において、確実に独創的で全く新しく、しかも使用操作は極めて便利で実用的である。
【図面の簡単な説明】
【００１５】
【図１】本考案の外型構造図である。
【図２】本考案の実施状態模式図である。
【図３】本考案の分解模式図である。
【図４】本考案の構成ブロックチャートである。
【図５】本考案の電力計測モジュールの回路図である。
【図６】本考案の調光コントロール及び状態読み取りインターフェースの回路図である。
【図７】本考案のマイクロプロセッサーと電源保護及びコントロールの回路図である。
【図８】本考案のシーンモードインプットインターフェース及びセットインターフェースの回路図である。
【図９】本考案のTCP/IP転換RS-485及びデータ保存インターフェースの回路図である。
【図１０】本考案のZigbee（登録商標）無線通信インターフェースの回路図である。
【図１１】本考案が付属するグループコントロールと調光コントロールの機械式スイッチと電子式タッチスイッチの回路図である。
【図１２】本考案のデュアル色温度LEDランプの配置模式図である。
【考案を実施するための形態】
【００１６】
以下に図面を参照しながら本考案を実施するための最良の形態について詳細に説明する。
【００１７】
本考案実施例の外型構造図である図１に示すように、本考案電力計測と通信機能を備えるコレクティブLEDインテリジェント照明コントロールデバイスは、およそA4ほどの大きさの底板1.14に、パワーサプライ1.12とコントローラー(コントローラー上蓋1.2及びコントローラーハウジング1.13を含む)を設置し構成する。
【００１８】
本考案実施例の組合せ状態模式図である図２に示すように、本考案デバイスは、２個の既存の壁面スイッチに連接することができる。さらに、８組のLEDランプ電源、調光、計測、通信等の配置を提供することができる。これらは、１本のネットワークケーブルにより、RS-485を通して、最高で１５個の本考案のコレクティブLEDインテリジェント照明コントロールデバイスを直列接続することができる。
【００１９】
本考案の分解状態模式図である図３に示すように、考案のコレクティブLEDインテリジェント照明コントロールデバイスは、順番に、ネームプレート1.1、コントローラー上蓋1.2、シーンモードインプットインターフェース1.3、調光コントロール及び状態読み取りインターフェースパネル1.4、電力計測モジュール1.5、マイクロプロセッサー及び周辺コントロールパネル1.6、TCP/IP転換RS-485及びデータストレージパネル1.7、電源保護及びコントロールパネル1.8、Zigbee（登録商標）無線通信モジュール1.9、Zigbee（登録商標）外部アンテナ1.10、配線アダプタボード1.11、48Vパワーサプライ1.12、コントローラーハウジング1.13、固定底板1.14を備える。
【００２０】
図に示すように、その組成方式は、配線アダプタボード1.11を、コントローラーハウジング1.13内に設置し、配線アダプタボード1.11上には、電力計測モジュール1.5とマイクロプロセッサー及び周辺コントロールパネル1.6とTCP/IP転換RS-485及びデータストレージパネル1.7と電保護及びコントロールパネル1.8とZigbee（登録商標）無線通信モジュール1.9を設置する。最後に、最上層に、シーンモードインプットインターフェースパネル1.3と調光コントロール及び状態読み取りインターフェースパネル1.4を設置する。こうして、回路板への設置と固定をすべて完成する。別に、Zigbee（登録商標）アンテナ1.10は、コントローラーハウジング1.13上に設置し、コントローラー上蓋1.12とネームプレート1.1を被せて、すべての組立てを完成し、図１に示す実施例の組合せを完成する。
【００２１】
本考案の構成ブロックチャートである図４に示すように、外部の市内電力は、ブロック2.1電力計測モジュールからインプットされた後、ブロック2.2AC/DCパワーサプライに進む。こうして、全部の電力消費データを計測でき、ブロック2.6マイクロプロセッサーが読み取りと記録を行う。
【００２２】
ブロック2.2AC/DCパワーサプライがアウトプットする直流電源の大部分は、ブロック2.3調光コントロール及び状態読み取りインターフェースに提供される。これにより、外部の８個のLEDランプを点灯する。別に、一部の電力は、ブロック2.7電源転換保護及びコントロール回路に提供され、本考案システムに給電される。
【００２３】
ブロック2.6マイクロプロセッサーは、ブロック2.4シーンモードインプットインターフェースに基づき、外部壁面スイッチの状態、及びブロック2.5コントロールモードセットインターフェースの情報を検知することができる。さらに、ブロック2.6マイクロプロセッサーのプログラム作動を経て、ブロック2.3調光コントロール及び状態読み取りインターフェースをコントロールし、外部の８個のLEDランプの輝度と電力消費データを、それぞれコントロールし、読み取ることができる。別に、ブロック2.6マイクロプロセッサーもまた、ブロック2.8TCP/IPデータ収集及びストレージインターフェースを経て、リモートデータサーチサーバと通信し、同様に、ブロック2.3調光コントロール及び状態読み取りインターフェースをコントロールすることができる。これにより、コントロールする外部の８個のLEDランプの輝度と電力使用状態を、それぞれコントロールし、読み取ることができ、情報をリモートサーバ上に伝送することができる。
【００２４】
ブロック2.8TCP/IPデータ収集及びストレージインターフェースは、ブロック2.6マイクロプロセッサーと通信し、LED輝度と電力消費データを、コントロール及び読み取ることができる他、そのシリアル通信インターフェースにより、ブロック2.9Zigbee（登録商標）無線モジュールと通信し、より多くの外部設備、或いはセンサーを、コントロール及び読み取ることができる。その内、通信状態は、ブロック2.6マイクロプロセッサーの監視を受け、通信が異常なら、ブロック2.7電源転換保護及びコントロール回路を起動し、ブロック2.8TCP/IPデータ収集及びストレージインターフェース、ブロック2.9Zigbee（登録商標）無線モジュールの電源を再起動し、通信の信頼性を高める。
【００２５】
以下では、本考案コントローラーの各ブロック動作原理及びその作用について説明する。図５〜１０は、本考案の各ブロック回路図で、図１１は、本考案が付属するグループコントロールと調光コントロールの機械式スイッチと電子式タッチスイッチの回路図である。
【００２６】
図５は、本考案の電力計測モジュールの回路図(ブロック2.1回路図)である。図中U1は、スイッチ式電源安定ICで、市内電力電源P1は、R5、D2を経て、U1のD極(PIN 5)に入る。C4上は、数百ボルトに達する直流電源で、U1及び周辺のD1、D3、R1、R4及びC1、C2、C5、L1の作用を通して、本モジュールが必要とする5VA電源を安定的にアウトプットする。その値は、R1、R4の電気抵抗比率により決定し、D4とR8は、5VA電源インジケータである。5VA電源は、本電力モジュールにのみ提供され、使用される。
【００２７】
図５中U6は、電力計測ICで、適当な比率の市内電力電圧をインプットし、及び電流を消費し、U6から、電圧(V)、電流(A)、ワット(W)、ワット時(Wh)、力率(PF)等数値データを得ることができる。図中U6の電圧インプットは、P1からで、R23、R24、R25、R27の分圧を経る。つまり、R27の電圧は、P1インプット電圧に正比例する。
【００２８】
U6の電流計測信号は、２種ある。大電流下(15A以上)では、P2とP3は、１本の導線を通して、変圧器CT1を通過する。その二次側電流は、R15上において、対応する電圧を生じる。該電圧は、消費電流(この時、R16、R17は設置しない)に正比例し、その計測した電流信号は、R20、R21を経て、電力計測IC U6のV1P及びV1Nピンに導かれる。本実施例では、全体消費電力が300W以下であるため、CT1とR15は電流計測に使用せず、抵抗値が低いR16、R17を使用し、R16、R17両端の電圧を直接読み取る。その電圧も、同様に、消費電流に正比例する。
【００２９】
図５中U6インプット信号処理端の電気抵抗、キャパシタは、テスト信号ノイズろ過目的で、C13、C14、C15、C16、C17、C18、R26を含む。U6電力計測ICは、PIN-9の電圧を基準として使用し計測する。C19、C20は、参考電圧を安定化させるために用いられる。X1は、精密オシレータで、計測タイムベース計算に用いる時には、エネルギー(Wh)転換の基礎タイムベースとなる。その計測結果は、SI、SO、SCKの信号線から、U4のMCUと連結する。すなわち、モジュールのMCU(U4)は、シリアルのSPIインターフェースを利用し、U6の電力計測データを読み取る。
【００３０】
図中Q1は、マイクロプロセッサーU4のコントロールを受け、U6の異常時には、U6のPOWER
OFF及びPOWER ON RESETを再度行う。本モジュールのマイクロプロセッサーU4は、調整データをU5メモリに保存し、使用時には、CS1、SO、SI、SCK信号線を通して、調整した修正データを読み取り、ADE-CS、SO、SI、SCK信号線を通して、U6電力計測ICの計測修正レジスタ内にロードすることができる。同時に、相同の信号線を通してU6の計測値を読み取り、U5の記憶IC内にロードし、計測値を、TXD-OUTとRXD-IN信号線を通して、フォトアイソレータIC U2、U3により、信号を、J1のRXDとTXDピン上に伝送できる。これにより、本考案のマスターCPUは、TXDとRXDを通して、本電力計測モジュールの即時或いは履歴計測データを読み取ることができる。
【００３１】
図６は、本考案の調光コントロール及び状態読み取りインターフェースの回路図(ブロック2.3の回路図)である。LEDコントロール-1は８組あり、それぞれが８個のLEDランプをコントロールし、方式及び回路構造は相同である。以下では、LEDコントロール-1を例として説明する。図に示すように、パワーサプライは48VのDC電源を提供し、F1ヒューズを通ってQ2に至る。図中のL1-OUT1及びL1-OUT2は、外部のLEDランプに接続し、R45は、それが計測した電流電気抵抗で、R45上の電圧が高ければ、外部LEDランプを流れる電流も大きくなり、正比例となる。
【００３２】
図中U7Aは、 コンパレータで、図に示すように、U7Aのマイナス端インプット(PIN-6)がプラス端インプット(PIN-7)より大きければ、現在のLED電流が、設定した輝度電流より小さいことを示している。この時、U7AはLOWを出力し、Q4コレクタ極はHIになりQ2を導通させる。これにより、LEDランプに提供する電圧は増加し、輝度も拡大する。電流が増加すれば、U7Aのプラス端インプット(PIN-7)がマイナス端インプット(PIN-6)より大きくなるまで、R45上の電圧も増加する。この時、U7AはHI電位を出力し、Q4をオンとし、Q2をオフにする。
【００３３】
すなわち、L1-1、L1-2、L1-3、L1-4のHI或いはLOW信号を改変するだけで、外部LEDランプに提供する電源電圧と流通する電流を自動コントロールできる。こうして、輝度をコントロールし、本回路は、L1-1、L1-2、L1-3、L1-4は、４個のロジックインプット電圧により、R43、R47、R49、R53の各自一定比率を呈する電気抵抗値とR51分圧を経て、１６種の電圧(24=16)を得ることができ、また、１６種の調光電流、１６種の調光輝度を得ることができる。つまり、本考案は４個のデジタル電圧レベルを、１６個のリニア電圧に転換し、１６個の調光電流を設定することができる。
【００３４】
図６中60V-IN(60V)は、電源48Vより高い電圧を提供し、C27、R31のガイドを経て、Q2のドライブ電圧となる。R29とZD2は、Q2のドライブ電圧を制限及び保護する。D6、L3とC23、C24は、スイッチ式電源のエネルギーストレージ回路を組成する。R37及びR41は、シュミット回路を組成する。これにより、U7Aコンパレータは、Q2のON或いはOFFを、より安定的にコントロールすることができる。R45の電圧(実際にLEDを点灯させる電流)とR51の電圧(LEDに設定された流通電流)の自動比較コントロールを経て、Q2のON或いはOFF比率を自動的に調整する。L3とC23、C24の平滑フィルタを経て、現在のLED出力電圧の流通する電流は、設定した輝度をちょうど満たすことができ、効率が高く損耗が低いスイッチ式パワーサプライを達成することができる。但し、コンスタントな直流電流(一般のパルスPWM方式ではない)に非常に近いため、LEDランプの輝度は均一で点滅せず、ノイズを発生せず、瞬間的にオーバーロードしLEDをドライブすることもないため、LEDランプの寿命を延長することができる。
【００３５】
図６中U16シリアル転換パラレルICは、TP1〜TP8の８種の信号を出力し、U13〜U22の８組のフォトアイソレータICのON及びOFFを、逐一コントロールする。第１組を例とすると、図に示すように、TP1は、U13フォトアイソレータICのON或いはOFFをコントロールし、D22に対応して、電気抵抗R134、R135分圧回路上において、現在のLED-1の出力電圧と正比例を示す。他のLEDコントロール2〜8の回路原理と作用は、LEDコントロール-1の回路と相同であるため、再説明は行わない。
【００３６】
すなわち、コントロールTP1〜TP8は、各組のフォトアイソレータICを逐一起動し、R134、R135分圧及びAD1転換を経て、現在の各組のLEDランプのドライブ電圧を順番に計測することができ、これにより各LEDランプの消費電力と状態を知ることができる。LEDランプは、多数の単一のLEDチップが直列接続、並列接続して構成されるため、本考案回路の電流制限コントロールと出力電圧計測を通して、各単一のLEDチップ及び直列接続、並列接続回路が、正常に作動しているか否かを知ることができ、こうして主動的な故障修理或いは実際点灯時間等情報の収集を行うことができる。
【００３７】
別に、U9、U11、U12、U16は、直列イン/並列アウトのICで、３２個のデジタル出力点をコントロールでき、４個１組で、１組のLEDの輝度をコントロールでき、８組のLEDランプの輝度を、それぞれコントロールできる。すなわち、U19は、その内の任意の組の現在LEDを点灯させている出力電圧を、コントロールし交替に読み取ることができ、そのコントロールする電流を合わせ、各組LEDランプの消費電力と使用状態を計算することができる。
【００３８】
図中のU10は、並列イン直列アウトのICで、２個の壁面スイッチの４種の状態と４個のDIPスイッチ(SW1)を読み取ることができる。このスイッチは、本考案の通信上のコネクションアドレスを設定でき、0〜Fを選択して用いることができる。つまり、１個のTCP/IPネットワークカードにおいて、最高１５個の本デバイスに接続して制御でき、すなわち１２０個のLEDランプ(8×15=120)をコントロールでき、その電力消費データ、使用状態等のデータを収集して、統計することができる。
【００３９】
図７は、本考案マイクロプロセッサーと電源保護及びコントロールの回路図(ブロック2.6、2.7の回路図)である。U23は、マイクロプロセッサーICで、内部に、メモリを含み、執行プログラムを保存することができる本考案のコントロールセンターである。コントロールピンTXD、RXDの信号線を通して、ブロック2.1の電力計測モジュールの電力計測情報を読み取り、DATA、CLK、STR-1信号線を通して、U9、U11、U12、U16のデジタル出力を経由し、ブロック2.3調光コントロール及び状態読み取りインターフェースのLEDランプドライブ電圧及び電流の大きさをコントロールする。
【００４０】
さらに、STR-2信号線とU19の出力コントロールを用いて、その出力値を計測して読み取ることができる。CLK1、LOAD1、DATA-IN-1信号線を通して、U10をコントロールし、ブロック2.4シーンモードインプットインターフェースの現在状態を受け取る。CLK2、LOAD2、DATA-IN-2信号線を通して、U35〜U44をコントロールし、ブロック2.5コントロールセットインターフェースの設定値を読み取る。これにより、ブロック2.3調光コントロール及び状態読み取りインターフェースをコントロールする。こうして、使用者が設定したモードに基づき、既存の壁面スイッチを操作し、現場のインテリジェント照明のコントロール目的を達成することができる。
【００４１】
別に、U23マイクロプロセッサーICはさらに、SRXD、STXD、RS-485-EN信号線、U24 RS-185転換IC、ブロック2.8TCP/IPデータ収集及びストレージインターフェース TCP/IP転換RS-485及びデータ保存インターフェースを通して、リモートサーバと接続してコントロールすることができる。最後にさらに、WDI信号線とブロック2.7電源転換保護及びコントロール回路を通して、正常な作動関係を保持することができる。もし、異常なら、図７のU28 WDI(PIN-4)にパルスをインプットさせず、電源を再起動させる。つまり、システム(プログラム)の作動が異常である時、WDI信号は消失し、或いは使用するシステム電圧(5V)が異常なら、U28のWDT-RST(PIN-3)は、LOW電位からHI電位へ変わる。これにより、Q20は導通し、Q19はOPEN、Q18はOPENとなり、マイクロプロセッサーU23に供給する電源(PIN-28)を切断する。すなわち、5V-OUTは0Vとなる。続いて電源を回復し、POWER ON RESETプロセスを完成し、システムを再起動する。
【００４２】
図７において、本考案が使用する低圧5V電源は、外部AC/DCパワーサプライ48Vから提供し、U25スイッチ式電源ICとその周辺のD30、D31、R148、R149、C66、C67、C68、L11、L12等の部品の配置を経て、48Vの電圧中から高い効率で、安定した5V電源を得て、本考案各ブロック回路に提供することができる。
【００４３】
図７において、本考案が使用する60V POWER MOSドライブ電源(すなわち、60V-IN)は、48V-INにより昇圧されたものである。図中U30は、スイッチ式電源ICは、その周辺のD32、ZD20(12Vツェナーダイオード)とR158、U29、C70、C71等部品の配置を合わせ、48Vの電圧は12V電源へと昇圧され、60Vの出力電源を高い効率で得て、各組調光器のPOWER MOSドライブに提供することができる。
【００４４】
図８は、本考案のシーンモードインプットインターフェース及びコントロールモードセットインターフェースの回路図(ブロック2.4、2.5の回路図)である。本考案は、既存の壁面スイッチを使用でき、２個のスイッチ４種の状態を定義する。図に示すように、AC-L1とAC-N1は、その内の１組の既存のスイッチがコントロールする灯源を示す。よって、もともとのスイッチの配線を変える必要なく、そのまま使用できる。もとのスイッチがONである時、もともとAC-L1とAC-N1間には、１個の交流電圧が提供される。本考案は、その交流電源を、D40、D41の２個のダイオードを利用し、正、負２個の回路に区分する。図に示すように、正の半サイクルで、電流がD40、R160、D33、U31、U53を経由すると、R160は電気抵抗を制限する。D33は、LEDグループインジケータで、U31、U35は、フォトアイソレータICである。もし、既存のスイッチがON状態なら、U31は、正の半サイクル時に導通し、これによりR162は、１個の5Vの高電位を得て、AC-SW1は正電位である。
【００４５】
負の半サイクルで、電流がD41及びR158、D34、U32を経由すると、R158は電気抵抗を制限する。D34は、LED調光インジケータで、U32は、フォトアイソレータICである。もし、既存のスイッチがON状態なら、U32は、負の半サイクル時に導通し、これによりR163は、１個の5Vの高電位を得る。よって、もし既存の壁面の１個のスイッチを２個のスイッチに換え、それぞれ１個のダイオードを接続するなら、その内の１個のスイッチは、正の半サイクルだけを流通でき、AC-SW1電位をコントロールし、グループコントロールを行うことができる。
【００４６】
もう１個のスイッチは、負の半サイクルだけを流通させ、AC-SW2電位をコントロールでき、調光コントロールとなる。すなわち、配線を改変しない状況において、１個のスイッチを、２個に換え、それぞれグループコントロール及び調光コントロールの操作インターフェースを備える。R158の電気抵抗値は、R160より小さく設計されているため、壁面スイッチがONの時には、負の半サイクルの電流は、正の半サイクルの電流より大きい。このような設計は、本考案の付属電子式タッチスイッチ(図１１参照)に対応するためである。これにより、正、負の半サイクルを計測でき、シンクロ式の正の半サイクルのコントロールを用い、グループをコントロールし、及び負の半サイクルにより調光コントロールする。こうして、上記２個の機械式スイッチ同様、相同のコントロール目的を達成する。
【００４７】
他のAC-SW3、AC-SW4の状況も相同で、別の１個の壁面スイッチ、或いは１個の本考案に付属の電子式タッチスイッチに対応し、異なる操作方式を用いて、相同のコントロール目的を達成する。AC-SW1〜AC-SW4信号は、ブロック2.3の並列転換直列IC U10を経て、マイクロプロセッサーIC U23により間接的に取得される。すなわち、マイクロプロセッサーは、壁面スイッチのON或いはOFFメッセージを随時探知でき、及び連続切換が示す意味を解析できる。U23マイクロプロセッサーにより、プログラム執行し、使用者が望むランプの点灯/消灯と輝度をコントロールする。
【００４８】
図８では、本考案は４個の壁面スイッチを２個のエリアに分ける。各エリアは２個のスイッチを使用し定義する。その内、AC-SW1はエリア1のグループスイッチを定義し、AC-SW2はエリア1の調光スイッチを定義し、AC-SW3はエリア2のグループスイッチを定義し、AC-SW4はエリア2の調光スイッチを定義する。回路図８のSW2、SW3、SW4、SW5は、それぞれ８組のDIPスイッチである。各組は、１個のLEDランプを代表する。AC-SW1を切り換える度に、点灯しようとするLEDランプの内容を対応させる。例えば、SW2は、1、2、3、4をONに設定し、5、6、7、8をOFFに設定し、SW2は、1をONに設定し、2〜8をOFFに設定する。これにより、AC-SW1は最初に切り換えた時には、LEDランプ１から４までを点灯させ、二回目に切り換えた時には、LEDランプ1を点灯させる。三回目、四回目も同様である。すなわち、SW1〜SW4は、AC-SW1の各段階(計４段階)で点灯させるLEDランプを設定できる。
【００４９】
SW5は、８組のDIPスイッチで、第１〜７組は、それぞれ調光のパーセンテージを代表する。AC-SW2を定義する。各切換段階の輝度は、最高で七段階である。本考案では、第一段階を100%、第二段階を80%、第三段階を60%、第四段階を50%、第五段階を40%、第六段階を10%、第七段階を5%とする。例えば、SW5では、1、4、6はONで、他はOFFである。AC-SW2はOFF-ONを一度切り換える度に、LEDランプは、100%(フルライト)から50%(ハーフライト)になり、さらに10%(微光)等になる。すなわち、本考案は、スイッチの設定を通して、既存の壁面スイッチのグループ切換と調光の機能を高めることができ、現場のニーズに応じて、簡易に設定してニーズに応えることができ、簡単、節約、便利の目標を達成することができる。
【００５０】
図８中の各スイッチはすべて、１個の並列イン直列アウトICに対応する。例えば、SW1はU1に対応し、SW2はU2に対応する等である。マイクロプロセッサーCLK-2、LOAD-2とDATA-IN-2の信号組合せを通して、SW-1〜SW-10各スイッチのメッセージを、逐一、U11マイクロプロセッサー中に読み込むことができる。AC-SW1〜AC-SW4壁面スイッチの現状及びU11プログラムの作動を対応させることで、初めてランプを確実に制御でき、現在の照明に対するニーズを達成することができる。別に、SW5とSW10の第８組DIPスイッチは、グループ設定と調光設定の自己計測目的に定義され、各ランプとグループとの関係を迅速に明らかにし、及び各ランプの調光データを自動的に確立し、調光コントロールと主動メンテナンスの基本参考情報に作用する。
【００５１】
例えば、SW10がONに設定される時、マイクロプロセッサープログラムは、各LEDランプの調光データを起動して確立する。先ず、第１個のLEDランプから開始し、第一段から調光を始める(前記のように、U9のL1〜L4出力レベルは、１６段階に調光でき、１個のOFFを含む)。さらに、現在のLEDランプのドライブ電圧を読み取る(前記のように、TP1〜TP8コントロールに対応し、AD1から各組LEDランプの現在のドライブ電圧を順番に計測)。次に、第１６段の調光が完了するまで、各段階に対応して記録し、８個のLEDすべてに完成するまで、第２個のLEDランプにおいてこれを繰り返す。
【００５２】
すなわち、本項機能は、各LEDランプ各段階の調光時のドライブ電圧を、自動的に確立でき、合計１２８個のデータ(１６個×８個)がある。プログラム計算を経て、各ランプの各自48Vの定格電圧ドライブ下での最大電流を知ることができる。それはすなわち、100%の輝度である。これにより、各ランプの各段階の調光時に設定すべき電流数を区別及び自動計算し、こうして異なる規格のLEDランプも、インテリジェント化、自動化され、比率に応じた定電流使用方式により安定調光を行うことができる。
【００５３】
別に、各LEDランプの各段電流が対応するドライブ電圧を、同時に確立する。実際の使用時には、現在のLEDランプのドライブ電圧を、順番に随時計測し、プログラムの比較対照と計算を経て、一定比率の誤差を超えた時には、該LEDランプ内のチップ或いは回路が故障していることを示す。SW5がONに設定されると、マイクロプロセッサープログラムは、自己テストプロセスを起動する。先ず、第１個のLEDランプから開始する。設定した調光ステップに従い、フルライトから一段階ずつ自動変換し、該ランプで設定した最も暗い段階に停止する。続いて、第２個のランプを点灯し、一つ一つ最後の１個まで点灯する。SW5がOFFに設定されるまで、こうして循環させる。その目的は、エンジニア或いは使用者が、各ランプのグループ対応関係と調光状況を迅速に確認できるようにすることである。
【００５４】
図８中において、１個の応急スイッチを特別に設計する。図に示すように、SW14は平常は、一般状態にスイッチされているが、外部から提供される48V-POWER電源が、RY2のNC接点を経て、48V-INに供給され、さらに48V-INを経て転換され、12V、5V及び60V(図７参照)とLEDのドライブ電源(図６参照)が提供される。問題或いは故障に遭遇したなら、SW14スイッチを過渡状態に切り換える。この時、RY2は作動し、48V-POWER電源はRY2のNO接点を経由し、48Vを給電する。すなわち、本項応急スイッチ周辺の少しの回路のみを残し、上記のすべての電源をオフにし、直接48Vの電源を使用する。
【００５５】
この時、第１組の壁面スイッチがもしON状態なら、U53とQ20を導通させ、RY1をON状態に換える。これにより、48Vは直接D62〜D69を経てL1-OUT-1〜L8-OUT-1のプラス端に供給され出力される。こうして、直接８個のLEDランプを点灯する。もし、壁面スイッチがOFFなら、RY1もOFFとなり、８個のLEDランプはすべて消灯する。すなわち、本考案デバイスに故障が発生すると、極めて少ない部分のパーツに通電し、本項照明システムは１個の最も簡単なLEDランプのオールオフとフルライトのスイッチ機能を維持する。これにより、不便が大きくなり過ぎないようにする。
【００５６】
図９は、本考案のTCP/IP転換RS-485及びデータ保存インターフェースの回路図(ブロック2.8TCP/IPデータ収集及びストレージインターフェースの回路図)である。本考案各デバイスの間は、RS-485を通して各単体間の通信を行うが、本回路図のネットワークカードとリモートエンドのサーバを経由して、TCP/IPを通して通信する。図中JP2は、TCP転換UARTのコンバータで、TPTX+、TPTX-、TPRX+、TPRX-等４本のネットワーク信号を、LTXDとLRXDのUART信号に転換することができ、U52マイクロプロセッサーと通信を完成する。同時に、U52はまた、EX-TXD、EX-RXD及びEX-485EN及びU50のRS-485転換ICを通して、M-TXDとM-RXDのRS-485信号と他の設備とをコミュニケーションさせることができる。
【００５７】
すなわち、本回路図中のマイクロプロセッサーは、TCP/IPとRS-485の転換と通信作業を担当し、RS-485インターフェースが収集した信号を、JP2ネットワークカードを経由して、TCP/IP信号に転換し、リモートエンドコンピュータ或いはサーバと接続する。これにより、TCP/IP転換RS-485コントロールへの、リモートサーバのコマンドは、RS-485を備える本考案のランプコントロール等の任務を完成する。図中J35は、メモリカードコネクタで、SDカードを装置でき、収集したデータを、大容量のSDカード内に保存することができる。図中のU51は、5Vから3.3Vへのレギュレータで、本回路のネットワークカード、SDカードは共に3.3Vであるため、システムの5V電源から、3.3VのVCC電源を得る必要がある。
【００５８】
図１０は、本考案Zigbee（登録商標）無線通信インターフェースの回路図(ブロック2.9Zigbee（登録商標）無線モジュールの回路図)である。本考案は、リモート接続照明コントロールの機能の他に、Zigbee（登録商標）の無線通信インターフェースを特に加え、これにより本考案は無線接続する機能を兼ね備える。本図で、使用するZigbee（登録商標）モジュールJ34は、3.3Vの電源を使用する。そのため、U49 5Vから3.3Vへの電圧安定ICにより、3.3Vの安定作業電源を提供する必要がある。J34のZigbee（登録商標）通信モジュールは、ZTXDとZRXDと図７のマイクロプロセッサーU23により通信する。両者の電圧レベルは異なるため、R119電気抵抗を直列接続してバランスをとる必要がある。図中D37及びD38は、通信状態インジケータと対になり、SW12及びSW13は、ボタンと対になる。図中J33は、J34 Zigbee（登録商標）モジュールプログラムを記録するレコーダである。図中J34 Zigbee（登録商標）モジュール上のANTは、外部アンテナを接続するコネクタで、アンテナによりコントロールボックス外へと接続され、通信信号の品質を高める。本考案は、天井に設置されるため、室内の無線通信環境に適合し、しかもサーバと連結することができるため、この項のデバイス上には、本図のZigbee（登録商標）モジュールを加える。こうして、最良のグリーンインテリジェント通信プラットフォームを構成する。
【００５９】
図１１は、本考案が付属するグループコントロールと調光コントロールの機械式スイッチと電子式タッチスイッチの回路図である。この付属装置は、既存の壁面の１個のスイッチに置換することができる。配線を改変しない状況において、この付属部品が提供する２個のスイッチ或いは２個のタッチボタンは、それぞれグループコントロールと調光コントロールの機能を備える。
【００６０】
その原理を以下に説明する。
図中SW15は、もともとの壁面の１個のスイッチで、それをSW16及びSW17などの２個のスイッチに換える。さらに、それぞれD74及びD75の２個のダイオードに直列接続する。これにより、スイッチSW16は、正の半サイクルの電流を通電させるか否かだけをコントロールでき、負の半サイクルには影響を及ぼさない。よって、図８のAC-SW1の電位をコントロールできる。こうして、グループ切換の機能をコントロールし、スイッチS17は、負の半サイクルの電流を通電させるか否かだけをコントロールでき、正の半サイクルには影響を及ぼさない。よって、図８のAC-SW2の電位をコントロールできる。こうして、調光の機能をコントロールする。すなわち、本項回路と本考案は、もともとの１個のランプON-OFFスイッチを２個のスイッチに換え、しかもそれぞれグループ切換と調光機能をコントロールすることができる。
【００６１】
この他、本考案の壁面に設置するスイッチのコントロールは、全電子式タッチスイッチに交換することもできる。これによっても同様に、１個のスイッチを２個のタッチスイッチに換え、それぞれグループ切換と調光機能をコントロールすることができる。図中BD1は、ブリッジ式整流で、よって、正、負の半サイクルの何れであろうと、BD1プラス端から出力し、その電流は、Q23及びR224、D72を経由してC115で充電される。D73は12VZENERであるため、C115は12Vで電圧が安定する。さらに、U55電圧安定ICを経て、安定した5V電源を提供する。本考案上(図８の正、負の半サイクルの電流制限レジスタR158、R160の抵抗値は異なる。R158の電気抵抗値は、R160より小さいため、負の半サイクル電流は、正の半サイクルより大きい)では、正、負の半サイクルの電流を意図的に不一致させる。
【００６２】
すなわち、U54を流れる負の半サイクル電流は、正の半サイクルより大きい。すなわち、R227の電気抵抗上では、異なる幅(サイクル)の電位を得ることができ、負の半サイクルの幅の方が広い。U58は、マイクロプロセッサーで、R227 HI電位時間を判断でき、正、負の半サイクルのサイクルを区別することができる。U55は、タッチICである。手がKEY1(グループ)に接近すると、U58は、R227のタイムベース信号に基づき、正、負の半サイクルのON或いはOFFをコントロールする。その方式は、R228を通して、Q22をコントロールし、正の半サイクル時に、もしQ22が ONなら、Q23をOFFにし、つまり、正の半サイクルをOFFにする。もし、正の半サイクル時に、Q22がOFFなら、Q23をONにする。これにより、正の半サイクルはONになり、こうしてAC-SW1電位をコントロールする。
【００６３】
手がKEY2(調光)に接近すると、U58は動揺に、Q22、Q23の方式を通して、負の半サイクルのON或いはOFFをコントロールする。こうして、AC-SW2電位をコントロールする。その結果は、機械式コントロールを用いる場合と同様で、同じくグループコントロールと調光の目的を達成することができる。
【００６４】
図１２は、本考案のデュアル色温度LEDランプの配置模式図である。本考案は、一般単一色温度のLEDランプを、調光コントロールできる他、２組の出力を用いて、図１２に示すようなデュアル色温度LEDランプを調光コントロールすることができる。図に示すように、本デュアル色温度LEDランプは、２種の異なる色温度のLEDにより組成する。V1+,V1-は、第１組の暖色LED(色温度3000Kなど)で、第二組は冷色LED(色温度6000Kなど)で、それぞれ交差し、フラットランプパネル上に平均に分布する。その出力は、それぞれ本考案のLED出力コントロールLED-1及びLED-2の２組の出力端上に接続する。すなわち、LED-1の出力をコントロールすれば、暖色LEDの輝度を調光でき、LED-2の出力をコントロールすれば、冷色LED輝度を調光できる。よって、LED-1及びLED-2の調光を操作すれば、デュアル色LEDランプの輝度及び色温度をコントロールでき、同一ランプに同時に輝度調整と色温度調整の機能を持たせることができる。
【００６５】
上記したように、本考案は多数のLEDランプを、インテリジェント照明コントロールとデータコレクションの１個のプラットフォームに結びつけ、多数のLEDランプは１個のパワーサプライの照明コントロールシステムを共用し、１個の電力計測デバイスを共用し、１個の通信インターフェースを共用することでコストを分担し、１組のシーンコントロールインターフェースを共用し、それが二線式であろうと、或いは三線式スイッチであろうと、すべて配線を変える必要はなく、既存の壁面スイッチ機能をグループで向上させ、現場の実際のニーズに合わせて、多数のLEDランプのグループコントロールと調光機能をシーンコントロールでき、これによりLED照明は、省エネ化、インテリジェント化され、人に優しくと便利になる。また、本考案デバイスは、１個の空間の上方に設置されるため、Zigbee（登録商標）モジュールを組み合わせることで、同時に、インテリジェントグリーン建築に求められる情報計測収集プラットフォームを確立できる。よって、本デバイスにより、インテリジェント照明を同時に達成できる他、省エネ/二酸化炭素削減とインテリジェントグリーン建築に求められるデータコレクションとコントロールのインフラを完成できるため、作動全体において、確実に独創的で全く新しく、しかも使用操作は極めて便利で実用的である。
【００６６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００６７】
本考案は実用新案登録の要件である新規性を備え、従来の同類製品に比べ十分な進歩性を有し、実用性が高く、社会のニーズに合致しており、産業上の利用価値は非常に大きい。
【符号の説明】
【００６８】
1.1：ネームプレート
1.2：コントローラー上蓋
1.3：シーンモードインプットインターフェース
1.4：調光コントロール及び状態読み取りインターフェースパネル 
1.5：電力計測モジュール
1.6：マイクロプロセッサー及び周辺コントロールパネル
1.7：TCP/IP転換RS-485及びデータストレージパネル
1.8：電源保護及びコントロールパネル
1.9：Zigbee（登録商標）無線通信モジュール
1.10：Zigbee（登録商標）外部アンテナ
1.11：配線アダプタボード
1.12：48Vパワーサプライ
1.13：コントローラーハウジング
1.14：固定底板
ブロック2.1：電力計測モジュール
ブロック2.2：AC/DCパワーサプライ
ブロック2.3：調光コントロール及び状態読み取りインターフェース
ブロック2.4：シーンモードインプットインターフェース
ブロック2.5：コントロールモードセットインターフェース
ブロック2.6：マイクロプロセッサー
ブロック2.7：電源転換保護及びコントロール回路
ブロック2.8：TCP/IPデータ収集及びストレージインターフェース
ブロック2.9：Zigbee（登録商標）無線モジュール
【図１】
0003175862.tif 000003
【図２】
0003175862.tif 000004
【図３】
0003175862.tif 000005
【図４】
0003175862.tif 000006
【図５】
0003175862.tif 000007
【図６】
0003175862.tif 000008
【図７】
0003175862.tif 000009
【図８】
0003175862.tif 000010
【図９】
0003175862.tif 000011
【図１０】
0003175862.tif 000012
【図１１】
0003175862.tif 000013
【図１２】
0003175862.tif 000014